【手続補正書】
【提出日】平成27年6月26日(2015.6.26)
【手続補正１】
【補正対象書類名】特許請求の範囲
【補正対象項目名】全文
【補正方法】変更
【補正の内容】
【特許請求の範囲】
【請求項１】
映像データに基づくパケットデータを保持するバッファ手段と、
前記パケットデータを受信装置へ送信する送信手段と、
他のフレームデータを参照しないで復号されるフレームデータのパケットデータが前記バッファ手段に保持されることに応じて、前記バッファ手段に保持されているパケットデータのうちの少なくとも一部のパケットデータを送信させずに、他のフレームデータを参照しないで復号されるフレームデータのパケットデータを前記送信手段から前記受信装置へ送信させる送信制御手段と
を有することを特徴とする送信装置。
【請求項２】
前記送信制御手段は、前記バッファ手段に保持されているパケットデータのうちの少なくとも一部のパケットデータを前記送信手段から前記受信装置へ送信させない場合において、フレームデータを構成する一部のパケットデータが前記送信部によって前記受信装置に送信済みで残りのパケットデータが前記バッファ手段に保持されているときは、前記残りのパケットデータは前記送信手段から前記受信装置へ送信させることを特徴とする請求項１に記載の送信装置。
【請求項３】
前記送信制御手段は、前記バッファ手段に保持されているパケットデータのうちの少なくとも一部のパケットデータを前記送信手段から前記受信装置へ送信させない場合において、第１のフレームデータの先頭を構成する第１のパケットデータが前記バッファ手段に保持されているときは、前記バッファ手段に保持されている前記第１のフレームデータに含まれるパケットデータを、前記送信手段から前記受信装置へ送信させないことを特徴とする請求項１又は２に記載の送信装置。
【請求項４】
前記少なくとも一部のパケットデータは、他のフレームデータを参照して復号されるフレームデータのパケットデータであることを特徴とする請求項１〜３のいずれか１項に記載の送信装置。
【請求項５】
前記送信制御手段は、前記バッファ手段が保持するデータのデータ量が所定の閾値を超えた状態、ネットワークが輻輳している状態、前記受信装置がパケットを受信できない状態、及び、１つのパケットデータが前記バッファ手段に保持されている時間が所定の閾値を超えた状態のうちのいずれかの状態になると、前記バッファ手段に保持されているパケットデータのうちの少なくとも一部のパケットデータを前記送信手段から前記受信装置へ送信させないことを特徴とする請求項１〜４のいずれか１項に記載の送信装置。
【請求項６】
前記送信制御手段は、前記バッファ手段に保持されているパケットデータのデータ量が第１の閾値より大きく第２の閾値以下である場合において前記送信手段から前記受信装置へ送信しないように制御するパケットデータのデータ量よりも、前記バッファ手段に保持されているパケットデータのデータ量が前記第２の閾値より大きい場合において前記送信手段から前記受信装置へ送信しないように制御するパケットデータのデータ量が大きくなるようにして、前記バッファ手段に保持されているパケットデータのうちの少なくとも一部のパケットデータを前記送信手段から前記受信装置へ送信させない制御を行うことを特徴とする請求項１〜５のいずれか１項に記載の送信装置。
【請求項７】
前記送信制御手段は、前記バッファ手段に保持されているパケットデータのデータ量が前記第２の閾値より大きい場合において、前記バッファ手段に保持されているパケットデータのうちの少なくとも一部のパケットデータを送信させない制御を行うときは、前記バッファ手段に保持されている全てのパケットデータを前記送信手段から前記受信装置へ送信させない制御を行うことを特徴とする請求項６に記載の送信装置。
【請求項８】
映像データに基づくパケットデータを受信装置に送信する送信手段を用いた送信方法であって、
前記パケットデータをバッファ手段に保持させる保持ステップと、
他のフレームデータを参照しないで復号されるフレームデータのパケットデータが前記バッファ手段に保持されることに応じて、前記バッファ手段に保持されているパケットデータのうちの少なくとも一部のパケットデータを送信させずに、他のフレームデータを参照しないで復号されるフレームデータのパケットデータを前記送信手段から前記受信装置へ送信させる送信制御ステップと
を有することを特徴とする送信方法。
【請求項９】
前記送信制御ステップでは、前記バッファ手段に保持されているパケットデータのうちの少なくとも一部のパケットデータを前記送信手段から前記受信装置へ送信させない場合において、フレームデータを構成する一部のパケットデータが前記送信部によって前記受信装置に送信済みで残りのパケットデータが前記バッファ手段に保持されているときは、前記残りのパケットデータは前記送信手段から前記受信装置へ送信させることを特徴とする請求項８に記載の送信装置の送信方法。
【請求項１０】
前記送信制御ステップでは、前記バッファ手段に保持されているパケットデータのうちの少なくとも一部のパケットデータを前記送信手段から前記受信装置へ送信させない場合において、第１のフレームデータの先頭を構成する第１のパケットデータが前記バッファ手段に保持されているときは、前記バッファ手段に保持されている前記第１のフレームデータに含まれるパケットデータを、前記送信手段から前記受信装置へ送信させないことを特徴とする請求項８又は９に記載の送信方法。
【請求項１１】
前記少なくとも一部のパケットデータは、他のフレームデータを参照して復号されるフレームデータのパケットデータであることを特徴とする請求項８〜１０のいずれか１項に記載の送信方法。
【請求項１２】
前記送信制御ステップでは、前記バッファ手段が保持するデータのデータ量が所定の閾値を超えた状態、ネットワークが輻輳している状態、前記受信装置がパケットを受信できない状態、及び、１つのパケットデータが前記バッファ手段に保持されている時間が所定の閾値を超えた状態のうちのいずれかの状態になると、前記バッファ手段に保持されているパケットデータのうちの少なくとも一部のパケットデータを前記送信手段から前記受信装置へ送信させないことを特徴とする請求項８〜１１のいずれか１項に記載の送信方法。
【請求項１３】
前記送信制御ステップでは、前記バッファ手段に保持されているパケットデータのデータ量が第１の閾値より大きく第２の閾値以下である場合において前記送信手段から前記受信装置へ送信しないように制御するパケットデータのデータ量よりも、前記バッファ手段に保持されているパケットデータのデータ量が前記第２の閾値より大きい場合において前記送信手段から前記受信装置へ送信しないように制御するパケットデータのデータ量が大きくなるようにして、前記バッファ手段に保持されているパケットデータのうちの少なくとも一部のパケットデータを前記送信手段から前記受信装置へ送信させない制御を行うことを特徴とする請求項８〜１２のいずれか１項に記載の送信方法。
【請求項１４】
前記送信制御ステップでは、前記バッファ手段に保持されているパケットデータのデータ量が前記第２の閾値より大きい場合において、前記バッファ手段に保持されているパケットデータのうちの少なくとも一部のパケットデータを送信させない制御を行うときは、前記バッファ手段に保持されている全てのパケットデータを前記送信手段から前記受信装置へ送信させない制御を行うことを特徴とする請求項１３に記載の送信方法。
【請求項１５】
コンピュータを、請求項１〜７のいずれか１項に記載の送信制御手段として機能させるためのプログラム。
【手続補正２】
【補正対象書類名】明細書
【補正対象項目名】０００９
【補正方法】変更
【補正の内容】
【０００９】
送信バッファに送信データが滞留してしまうと、受信装置におけるデータ受信のリアルタイム性が確保できなくなってしまう可能性がある。
【手続補正３】
【補正対象書類名】明細書
【補正対象項目名】００１１
【補正方法】変更
【補正の内容】
【００１１】
すなわち、映像データに基づくパケットデータを保持するバッファ手段と、前記パケットデータを受信装置へ送信する送信手段と、他のフレームデータを参照しないで復号されるフレームデータのパケットデータが前記バッファ手段に保持されることに応じて、前記バッファ手段に保持されているパケットデータのうちの少なくとも一部のパケットデータを送信させずに、他のフレームデータを参照しないで復号されるフレームデータのパケットデータを前記送信手段から前記受信装置へ送信させる送信制御手段とを有する。
【手続補正４】
【補正対象書類名】明細書
【補正対象項目名】００１２
【補正方法】変更
【補正の内容】
【００１２】
本発明によれば、受信装置に配信されるデータのリアルタイム性を高めることができる。